(57)【特許請求の範囲】
【請求項１】
画像を表示する表示領域と、該表示領域を外囲する非表示部とを有し、互いに隣接して設けられる複数の表示パネルと、
前記非表示部に設けられ、前記隣接する表示パネルの各表示領域からの出射光を反射する反射面が形成される三角柱状の長尺材から成る反射部と、該反射部に連なり、前記各表示パネルの互いに隣接する各非表示部間に挟持される弾性体から成る挟持部とを有する反射部材とを含み、
前記挟持部は、前記隣接する各非表示部が対向する方向に弾発的に湾曲可能な湾曲部を有する板状部材から成ることを特徴とするマルチディスプレイ装置。
【請求項２】
前記板状部材は、その表裏方向の一方側に凸となるように形成された前記湾曲部と、その表裏方向の他方側に凸となるように形成された前記湾曲部とを有することを特徴とする請求項１に記載のマルチディスプレイ装置。
【発明の詳細な説明】
【技術分野】
【０００１】
本発明は、複数の表示パネルを隣接して配置し、１つの大画面を構成するマルチディスプレイ装置に関する。
【背景技術】
【０００２】
近年、インフォメーションディスプレイおよび業務用ディスプレイとして、たとえば４台あるいは９台の表示パネルを縦横に隣接して配置し、１つの大きな画面を構成し、１台のパーソナルコンピュータから、ＤＶＩ(Digital Visual Interface)やアナログＲＧＢ（Red Green Blue）映像信号、ＨＤＭＩ(High-Definition Multimedia Interface，登録商標)などのインターフェイスを経由して接続された各表示パネルへ、１つの画像を分割した画面信号を送ることによって、各表示パネルに画像が個別に表示され、画面全体として一連の画像を表示することができるように構成されている。
【０００３】
このようなマルチディスプレイ装置は、複数の表示パネルによっていわゆるマルチ画面とも称される大形の画面を容易に構築することができるが、各表示パネルの額縁上には画像を表示することができないため、隣接する各表示パネル間の目地または継目などに対応する領域に、表示画面上に線が格子状に入ったように見え、表示品位が低下してしまうという問題がある。
【０００４】
このような問題を解決するための従来技術は、たとえば特許文献１に提案されている。特許文献１に記載される従来技術では、１つの画像を４画面を使用して大きく映し出しているときに、画像を格子状に区切って目障りとなるという問題を解決するために、互いに独立な駆動系を介して映像信号によって駆動される画像表示する複数の画像表示器の表示画面を２次元的に配列して大形画面を形成した多画面表示装置において、表示画面の隣接するもの同士の境界領域に補助表示器を配列したマルチディスプレイ装置が提案されている。
【０００５】
この従来技術では、額縁に設けた補助表示装置に発光ダイオードを用い、非表示領域を挟む画面近傍の平均輝度によって駆動するように構成されている。しかしながら、額縁上で液晶カラー表示素子、発光ダイオード、エレクトロルミネセンスなどの電子部品を制御するため、製造コストが高額となり、かつ消費電力が大きくなるという課題がある。
【０００６】
また、前述のような電子部品を用いず光学的に解決する従来技術は、たとえば特許文献２，３に開示されている。これらの従来技術には、画面上に配置した凸レンズおよび凹レンズを用いて、画面表示光を屈折させ、額縁上まで拡張して表示する構成が提案されている。特許文献２に記載される従来技術では、複数のプラズマディスプレイパネル（PlasmaDisplay Panel、略称ＰＤＰ）を縦横に並べて、各ＰＤＰの表示画面を繋ぎ合わせて１つの大画面として表示するために、各ＰＤＰの前面には、凸レンズ群の行列からなる第１のマルチレンズおよび第２のマルチレンズを配置して、ＰＤＰの表示画面に表示する表示画像の正立像を形成し、第２のマルチレンズの前面には、さらに、凹レンズを配置して、上記の正立像をＰＤＰ等の前面に配置した透過型スクリーン上に拡大して投影し、複数のＰＤＰに表示した画像を連続した１つの画像として表示することができるマルチディスプレイ装置が提案されている。
【０００７】
また特許文献３に記載される従来技術では、画像が投射されるスクリーンが前面に装着されるスクリーンブロックを多段に積み上げて大形の画面を形成してなるマルチ投射型スクリーンにおいて、マルチ画面で生じる目地を目立たなくするため、前記画像が投射され
る各平行平板スクリーンブロックの光出射側に周辺が凸レンズ構造で中央部が平板であるレンズ状透明スクリーンを装着したマルチディスプレイ装置が提案されている。
【０００８】
しかしながら、これらの特許文献２，３の各従来技術を実施するためには、画面を覆う大きさの凹レンズや、画面と同サイズのアクリル板の側端部をレンズ状に加工する必要があり、大形のディスプレイ装置になるほど高額な部品が必要となる上、表示画面とレンズとの間に熱が蓄積するという問題がある。
【０００９】
さらに他の従来技術として、たとえば特許文献４〜６には、光ファイバの束を用いて、画面表示を額縁上に偏移させ、非表示部としての額縁を見えなくすることが提案されている。特許文献４に記載される従来技術では、ディスプレイの外周に非表示部（目地）を有するマルチディスプレイ装置において、前記ディスプレイの発光面上に光軸が傾斜した光ファイバプレートを備えたマルチディスプレイ装置が提案されている。
【００１０】
また特許文献５に記載される従来技術では、表示部とこの表示部を囲む額縁とを備えた平板状の表示ユニットの前面に、偏位手段を設け、この偏位手段によって表示ユニットに表示される分割画面を２次元方向に偏位させて分割画面を一体化させることによって、額縁による境界線のない大画面を形成することができるマルチディスプレイ装置が提案されている。
【００１１】
さらに特許文献６に記載される従来技術では、複数の投影機と並列して投影部を設け、これと同様の導光体を投影機と同様に並べてスクリーン部を構成し、導光体の画像光入力端面に、対応する投影機から画像光を投影可能とし、該導光体の反対側の端面である画像光出力端面を、前記画像表示面よりも中心側に偏倚させて、画面内に額縁が生じることのない統一画像表示面を形成するマルチディスプレイ装置が提案されている。この従来技術の導光体は、光ファイバを束ねてなり、画像光入力端面から画像光出力端面の間で光路が、統一画像表示面の中心側寄りに設けられる。
【００１２】
これらの特許文献４〜６に記載される各従来技術では、該従来技術に係るマルチディスプレイ装置を実現するために、画素数に相当する本数の光ファイバの束が必要となり、製造コストが高額になってしまうという問題がある。
【先行技術文献】
【特許文献】
【００１３】
【特許文献１】特開平３−３８９８２号公報
【特許文献２】特開平１０−２２２０９５号公報
【特許文献３】特開２０００−１８０９６４号公報
【特許文献４】特開平９−３７１９４号公報
【特許文献５】特開平１０−３９７８０号公報
【特許文献６】特開２００４−１７７６３２号公報
【発明の概要】
【発明が解決しようとする課題】
【００１４】
本発明の目的は、隣接する表示パネルの多様な接続状態にかかわらず、反射部材を安定に設置することができ、簡単な構成でかつ安価な製造コストで、熱の蓄積を生じず、額縁などの非表示部に起因する画像品位の低下を防止することができるマルチディスプレイ装置を提供することである。
【課題を解決するための手段】
【００１５】
本発明に係るマルチディスプレイ装置は、画像を表示する表示領域と、該表示領域を外囲する非表示部とを有し、互いに隣接して設けられる複数の表示パネルと、
前記非表示部に設けられ、前記隣接する表示パネルの各表示領域からの出射光を反射する反射面が形成される三角柱状の長尺材から成る反射部と、該反射部に連なり、前記各表示パネルの互いに隣接する各非表示部間に挟持される弾性体から成る挟持部とを有する反射部材とを含み、
前記挟持部は、前記隣接する各非表示部が対向する方向に弾発的に湾曲可能な湾曲部を有する板状部材から成ることを特徴とするマルチディスプレイ装置である。
【００１７】
また、本発明のマルチディスプレイ装置において、前記板状部材は、その表裏方向の一方側に凸となるように形成された前記湾曲部と、その表裏方向の他方側に凸となるように形成された前記湾曲部とを有することを特徴とする。
【発明の効果】
【００１８】
本発明によれば、第１あるいは第２の本発明と同様に、平面状に並んで配置される複数の表示パネルの各非表示部に、表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。しかも、前記反射部材は、前記非表示部から突出する側に前記２つの反射面が形成される断面山形の柱状体から成る反射部に連なり、前記各表示パネルの互いに隣接する各側部間に弾性的圧縮状態で挟持される弾性体製の挟持部を有するので、挟持部が隣接する表示パネルの側部間に挟持されることによって、反射部材が非表示部に安定的に設置される。そして、隣接する表示パネルの側部間の隙間にばらつきがあったり、表示パネルを保持するシャーシ、筐体および額縁などが熱膨張した場合でも、挟持部の弾性によってこれを吸収し、表示パネルにひずみが生じることなく、前記安定した設置状態が確実に実現されるとともに、この状態が維持される。
【００１９】
また、前記挟持部が、前記隣接する各側部が対向する方向に湾曲する湾曲部を有する板状部材から成るので、湾曲部の弾性的な変形により、前記ばらつきに的確に対応できるとともに、表示パネルを保持するシャーシ、筐体および額縁などの熱膨張を吸収して表示パネルのひずみを抑えることができる。また、ばね性の板状部材であることにより、このような湾曲部を簡易に形成することができる。
【図面の簡単な説明】
【００２０】
【図１】本発明に関連する第１の関連発明に係る一実施形態のマルチディスプレイ装置１を示す断面図である。
【図２】図１のマルチディスプレイ装置１の一部分を簡素化して示す斜視図である。
【図３】図２の切断面線ＩＩＩ−ＩＩＩから見た断面図である。
【図４】反射部材８が隣接する２つの額縁５に設置された状態を示す一部の斜視図である。
【図５】本実施形態におけるマルチディスプレイ装置１の表示状態を示す正面図であり、図５（１）は額縁５に反射部材８が設けられていないときの画面の表示状態を示し、図５（２）は額縁５に反射部材８を設けたときの画面の表示状態を示す図である。
【図６】本実施形態におけるマルチディスプレイ装置１の液晶パネル２からの出射光の反射パターンを示す図である。
【図７】本実施形態のマルチディスプレイ装置１において液晶パネル２を保持するシャーシ３、筐体４および額縁５などが熱膨張した状態を示す断面図である。
【図８】本実施形態の反射部材８を隣接する液晶パネル２がフラットでない接続状態で構成されるマルチディスプレイ装置１ａ，１ｂに適用した場合の断面図を示し、図８（１）は隣接する液晶パネル２の接続部が谷形である場合の例を、図８（２）は隣接する液晶パネル２の接続部が谷形である場合の例を示している。
【図９】本発明に関連する第２の関連発明に係る一実施形態のマルチディスプレイ装置１００を示す断面図である。
【図１０】第２の関連発明に係る他の実施形態のマルチディスプレイ装置２００を示す断面図である。
【図１１】本発明に係る一実施形態のマルチディスプレイ装置３００を示す断面図である。
【図１２】本実施形態に適用される反射部材７０を模式的に示す斜視図である。
【図１３】本実施形態に適用される反射部材７０の変形例７０ａを模式的に示す斜視図である。
【図１４】本実施形態に適用される反射部材７０の他の変形例７０ｂを模式的に示す斜視図である。
【図１５】本発明に関連する第３の関連発明に係る一実施形態のマルチディスプレイ装置４００を示す断面図である。
【図１６】第３の関連発明に係る他の実施形態のマルチディスプレイ装置５００を示す断面図である。
【発明を実施するための形態】
【００２１】
図１は本発明に関連する第１の関連発明に係る一実施形態のマルチディスプレイ装置１を示す断面図であり、図２は図１に示すマルチディスプレイ装置１の簡素化した斜視図であり、図３は図２の切断面線ＩＩＩ−ＩＩＩから見た断面図である。なお、図２および図３は、理解を容易にするため、簡略化して示されている。
【００２２】
本実施形態において、マルチディスプレイ装置１は、平面的に縦横に並んで配置される表示パネルとしての複数の液晶パネル２と、各液晶パネル２が装着されるシャーシ３と、筐体４と、各液晶パネル２に表示面側（図１の上方）から装着され、各液晶パネル２を各シャーシ３に保持する非表示部である額縁５と、各液晶パネル２の互いに隣接する各額縁５に設けられ、各額縁５よりも内側の表示領域の出射光を反射する反射面６，７を有する反射部材８と、光学シート９と、拡散板１０とを含んで構成される。
【００２３】
本実施形態において、マルチディスプレイ装置１は、テレビジョン受像機またはパーソナルコンピュータなどにおいて、画像情報を出力することによって、画像を表示画面に表示する表示装置によって実現される。各液晶パネル２は、平板状の形状に形成される。液晶パネル２において、厚み方向Ｚの２つの向きを前面側Ｚ１および背面側Ｚ２とする。
【００２４】
液晶パネル２は、液晶表示素子によって、背後側からのバックライト１１の光によって画像を前面２ａ側に表示することができる。シャーシ３は、液晶パネル２の固定に用いられる基台であり、液晶パネル２よりも背面２ｂ側に配置される。
【００２５】
前記筐体４は、液晶パネル２の固定を補助する複数の部材から成り、分割可能に構成されることが好ましい。筐体４は、枠体１２を含んで構成される。枠体１２は、乗載部分１３と、接触部分１４とを有する。乗載部分１３は、液晶パネル２を厚み方向Ｚに見たときの液晶パネル２の外周部の少なくとも一部に、背面２ｂ側から対向する。接触部分１４は、外周部に対して液晶パネル２の面方向外方から接触する。額縁５は、液晶パネル２の外周部に前面２ａ側から対向し、筐体４とともに外周部を挟持する。これによって、液晶パネル２は、額縁５に対して前面２ａ側への相対的な変位が阻止される。
【００２６】
マルチディスプレイ装置１において、液晶パネル２の周囲を面方向外方から囲繞する額縁５は、いわゆる狭額縁化されている。たとえば、マルチディスプレイシステムに用いる場合には、複数のマルチディスプレイ装置１を一方向に沿って、またはマトリクス状に配置する。このとき、互いに隣接するマルチディスプレイ装置１の境目に当たる部分、すなわち額縁５は画像が表示されない非表示部となる。
【００２７】
各液晶パネル２に表示される各画像は、本来、面方向に連続する画像であるが、額縁５のＺ方向から見た図１において左右方向の幅が大きいと、非表示部の幅が大きくなってしまう。マルチディスプレイシステムに用いるようなマルチディスプレイ装置１では、非表示部の幅をなるべく小さくするために、額縁５の幅を小さくする狭額縁化が求められる。本実施形態において、マルチディスプレイ装置１は、各液晶パネル２の対角線方向に長さが６０インチで、縦横比率が９対１６の狭額縁化された液晶表示装置である。
【００２８】
前記バックライト１１は、液晶パネル２よりも背面側Ｚ２に配置される複数の光源を含んで構成される。バックライト１１は、シャーシ３に取付けられ、光源から出射された光は、拡散板１０、光学シート９を通過し、さらに液晶パネル２を介してマルチディスプレイ装置１よりも前面側Ｚ１に放射され、画像表示を行う表示光として使用される。光源としては、たとえば冷陰極線管などの蛍光管、ＬＥＤ（Light Emitting Diode）などの各種発光部品を用いることができる。
【００２９】
マルチディスプレイ装置１を、正面から背面側Ｚ２に見て、額縁５および液晶パネル２は長方形に形成される。この長方形は、マルチディスプレイ装置１が映像を表示するときの使用時の設置状態において、縦長に配置されてもよく、横長に配置されてもよいが、本実施形態では横長に配置される。
【００３０】
前記額縁５は、厚み方向Ｚに垂直な平板状部分１５と、平板状部分１５に直角に連なり、液晶パネル２をその面方向外方から囲繞する外周部１６とを含む。平板状部分１５は、枠体１２の前記乗載部分１３とともに液晶パネル２の外周部分を挟持する。
【００３１】
液晶パネル２は、図示を省略する２枚の基板を含み、厚み方向Ｚに見て長方形の板状に形成される。液晶パネル２は、ＴＦＴ（Thin Film Transistor）等のスイッチング素子を含み、２枚の基板の隙間には液晶が注入されている。液晶パネル２は、背面側Ｚ２のバックライト１１からの光が照射されることによって、表示機能を発揮する透過型液晶表示装
置である。前記２枚の基板には、液晶パネル２における各画素の駆動制御用のドライバ（ソースドライバ）および配線が設けられている。
【００３２】
筐体４は、液晶パネル２よりも背面側Ｚ２、かつシャーシ３よりも前面側Ｚ１に配置され、シャーシ３に取付けられる。筐体４には、光学シート９、拡散板１０、バックライト１１および反射シート１８が配置される。バックライト１１の光源は、たとえば、複数本の蛍光管を含み、各蛍光管は、図示しないランプホルダによってシャーシ３に取付けられる。蛍光管よりも前面側Ｚ１には、拡散板１０が配置され、拡散板１０よりも前面側Ｚ１には前記光学シート９が配置される。拡散板１０および光学シート９は、液晶パネル２に平行に配置される。
【００３３】
拡散板１０は、蛍光管から発せられた光を、面方向に拡散することによって、輝度が局所的に偏ることを防止する。光学シート９は、複数の光学シートで構成され、本実施形態では、２枚の光学シート９ａおよび光学シート９ｂによって構成され、たとえばカラーフィルタから成る。
【００３４】
拡散板１０では、輝度が面方向に偏ることを防ぐために、光の進行方向は、ベクトル成分として、面方向の成分を多く含む。これに対し光学シート９は、面方向のベクトル成分を多く含む光の進行方向を、厚み方向Ｚの成分を多く含む光の進行方向に変換する。具体的には、光学シート９は、レンズまたはプリズム状に形成される部分が面方向に多数並んで形成され、これによって、厚み方向Ｚに進行する光の拡散度を小さくする。したがって、マルチディスプレイ装置１による表示において、輝度を上昇させることができる。
【００３５】
シャーシ３は、厚み方向Ｚに垂直な平板状の底部１９と、底部１９に連なり底部１９から立ち上がる側壁部２０と、側壁部２０のうち底部１９が連なる部分とは反対側の部分に連なり、底部１９と平行に広がる平板状のフランジ部２１とを含んで形成される。底部１９は、厚み方向Ｚに見て長方形に形成される。
【００３６】
反射シート１８は、前記シャーシ３における底部１９の前面側Ｚ１の表面の少なくとも一部と、前記フランジ部２１とに接触して配置される。反射シート１８は、前記側壁部２０に対しては接触して配置されてもよく、また接触せず配置されてもよい。反射シート１８の少なくとも前面側Ｚ１に臨む表面は、バックライト１１からの光に対して高い反射率、理想的には１００％の反射率を有する。
【００３７】
枠体１２は、光学シート９および拡散板１０の各外周部が乗載される段差部１７と、段差部１７から背面側Ｚ２に連なり、シャーシ３の側壁部２０を内周面側から覆い、シャーシ３に対してビスなどによって連結される第２周壁部２２と、段差部１７の外周部から前面側Ｚ１に連なって立ち上がる第１周壁部２３とを含む。
【００３８】
第１周壁部２３の前面側Ｚ１の領域には、前面側Ｚ１に臨み、液晶パネル２の外周部に対向する前記乗載部分１３と、乗載部分１３よりも面方向外方において前面側Ｚ１に突出し、液晶パネル２に面方向外方から接触する接触部分１４とが形成される。この乗載部分１３は、液晶パネル２の外周部を額縁５の平板状部分１５とともに挟持する部分である。したがって、乗載部分１３は、液晶パネル２の外周部に確実に対向する必要があり、また乗載部分１３は、面方向の幅を狭く設定するほど、狭額縁化の実現を容易にすることができる。
【００３９】
液晶パネル２の各辺を成す外周部を支持する乗載部分１３について、厚み方向Ｚおよび各辺の延びる方向に垂直な方向における乗載部分１３の寸法を、「幅寸法ｂ１」と称する。マルチディスプレイ装置１の一例として、たとえば各液晶パネル２が６０インチのマル
チディスプレイ装置１の場合、液晶パネル２のうち画像の表示領域は、およそ長辺方向Ｘの寸法が１３３ｃｍで、短辺方向Ｙの寸法がおよそ７５ｃｍである。この場合、乗載部分１３の幅寸法ｂ１は、３ｍｍ程度に設定される。
【００４０】
枠体１２において、第２周壁部２２は、液晶パネル２の厚み方向Ｚに平行に形成され、段差部１７のうち、液晶パネル２に関する面方向内方の端部に連なり、背面側Ｚ２に延びて形成される。第１周壁部２３は、液晶パネル２の厚み方向Ｚに平行に形成され、段差部１７のうち、液晶パネル２に関する面方向外方の端部に連なり、前面側Ｚ１に延びて形成される。第１周壁部２３の前面側Ｚ１には、前面側Ｚ１に臨み、液晶パネル２の外周部に対向する乗載部分１３と、乗載部分１３よりも面方向外方において前面側Ｚ１に突出し、液晶パネル２の外縁部に面方向外方から接触する接触部分１４とが形成される。枠体１２の乗載部分１３は、液晶パネル２の外周部を額縁５の平板状部分１５と協働して挟持する部分である。したがって、乗載部分１３は、液晶パネル２の外周部に確実に対向させて安定に支持し、狭額縁化を図ることができる幅寸法ｂ１に選ばれる。
【００４１】
液晶パネル２の厚み方向Ｚにおいて、接触部分１４の幅寸法（深さあるいは高さ寸法）ｂ２は、液晶パネル２の厚み寸法Ｔに対してわずかに小さく設定される。これによって、額縁５の平板状部分１５が液晶パネル２の外周部に接触し、乗載部分１３とともに液晶パネル２を挟持するときに、液晶パネル２が厚み方向Ｚにがたつくことを防止することができる。
【００４２】
前記反射部材８は、たとえばアクリル樹脂、あるいはアルミニウム製の２枚の長尺板状体２４，２５を略Ｖ字状に一体化された反射部２６から成り、各額縁５に沿って延び、かつ反射部２６の頂部を挟んで隣接する２つの斜面に反射面６，７が形成されている。前記板状体２４，２５の前記反射面６，７とは反対側の裏面に、反射部２６の長手方向に沿った断面Ｖ字状の凹溝（以下、Ｖ溝と略記する）２４ａ，２５ａが脆弱部として形成されている。このＶ溝２４ａ，２５ａの形成部位が、各板状体２４，２５が弾性的に屈曲し得る長手方向に沿った所定部位とされる。前記板状体２４，２５の下端部２４ｂ，２５ｂは斜めにカットされた形状とされ、この下端部２４ｂ，２５ｂを、両面粘着テープ２７，２８を介して隣接する額縁５のそれぞれの平板状部分１５の上面に接着することにより、反射部材８が額縁５に固定されている。各反射面６，７は、アルミニウム合金等の金属薄膜を前記反射部２６の２つの斜面に対して、たとえば蒸着によって形成し、この金属薄膜を白鏡面仕上げ、鏡面加工、メッキ処理などの各種の処理を行うことによって鏡面に加工されて形成される。
【００４３】
このような反射部材８によって、各液晶パネル２を組立ててマルチディスプレイ装置１を構築した状態での表示画面に、非表示部である各額縁５が線状に露呈することを防止し、表示品位を向上することができる。また、反射部材８は、反射面６，７を有する機械的部品によって実現され、前記従来技術のような電子部品あるいは光ファイバなどの光学部品を用いず、しかも、反射部材８も単純な構造であるから、安価な製造コストで非表示部が露呈せず、また消費電力が少なく熱の蓄積を生じないマルチディスプレイ装置１を実現することができる。
【００４４】
また、反射部材８は、隣接する各額縁５に沿って延びる２つの表面に反射面６，７が形成される断面形状が山形の反射部２６から成るので、各額縁５の両側の表示画面の表示光を各反射面６，７によってそれぞれ反射し、各額縁５を介して隣接する各表示画面の表示を、外見上、実質的に連続した一連の画像として視認することができ、各額縁５が線状に露見されること防止することができる。したがって、マルチディスプレイ装置１を正面から見ると、上下、左右のそれぞれに額縁５の近辺の画像が反射面６，７によって反射され、その反射像が目に入るために、額縁線を目立たなくすることができる。特に、本実施形
態では、反射部材８の反射部２６の断面がＶ字状に形成され、額縁５の線を隠蔽して目立たなくすることができる。図示の反射部材８は、非表示部としての額縁５を隠蔽する幅を有するものであるが、他の実施形態では、額縁５を隠蔽しかつ額縁５よりも内側の液晶パネル２の有効表示領域の外縁まで覆う幅に形成されてもよい。
【００４５】
図４は反射部材８が隣接する２つの額縁５に跨るように設置された状態を示す一部の斜視図である。前述のマルチディスプレイ装置１において、前記反射部材８は、図４に示すように、同一面上で隣接する２つの液晶パネル２の額縁５に前記両面粘着テープ２７，２８によって接着され設置される。反射部材８の各反射面６，７は、表示画面の額縁５近傍の反射対象領域２９から矢符Ａ１で示すように放射される光を矢符Ａ２で示すように反射するため、額縁５は正面から表示画面を視認する看者には認識されず、実質的に額縁５を隠蔽し、マルチディスプレイ装置１全体としての表示画像の額縁５による表示品位の低下を防止することができる。
【００４６】
図５は本実施形態におけるマルチディスプレイ装置１の表示状態を示す正面図であり、図５（１）は額縁５に反射部材８が設けられていないときの画面の表示状態を示し、図５（２）は額縁５に反射部材８を設けたときの画面の表示状態を示す図である。また、図６は、同マルチディスプレイ装置１の液晶パネル２からの出射光の反射パターンを示す図である。前述のマルチディスプレイ装置１は、図５（２）から明らかなように、反射部材８が額縁５に設けられることによって、互いに隣接する各液晶パネル２間および各液晶パネル２の外周部に配置される各額縁５が、図５（１）のように額縁線が認識されることを防ぎ、表示品位の高い画像を実現することができる。また、図６に示すように、隣接する各液晶パネルの前記反射対象領域２９からの出射光は反射面６，７（図６では反射面６のみを示している）によって反射され、この反射光を反射対象領域２９の光画像として看者によって視認される。
【００４７】
なお、額縁５上においては、反転された映像、すなわちマルチディスプレイ装置１に表示される映像に対して、反射部２６の長手方向が上下になるように取付けた場合は左右反転像、反射部２６の長手方向が左右になるように取付けた場合は上下反転像が表示される。各液晶パネル２の大形画面化および狭額縁化によって、額縁５のサイズは、各液晶パネル２の画面全体のサイズに比較して非常に微細な範囲であるため、反転されていても目立たない。また、文字などの細かい表示の場合、額縁線上にかからないよう、すなわち額縁５が反射面６，７に移り込まないように配置することによって、反転表示を防止することが可能である。
【００４８】
図７は本実施形態のマルチディスプレイ装置１において液晶パネル２を保持するシャーシ３、筐体４および額縁５などが熱膨張した状態を示す断面図である。図１に示すように、隣接する液晶パネル２は、マルチスクリーンを組み立てる際には、熱膨張を考慮して隙間Ｄをあけて配置される。そして、反射部材８は、前述のとおり両面粘着テープ２７，２８によって、隣接する額縁５の平板状部分１５に跨るように接着され、一体に固定される。この状態で各液晶パネル２が駆動すると、各液晶パネル２は熱を持ち、面方向（図７に示す矢符Ｂ，Ｃ参照）に膨張する。この結果、前記隙間Ｄが小さくなる。この熱膨張は、反射部材８に対してその板状体２４，２５を互いに接近させようとする力として作用する。本実施形態の反射部材８においては、板状体２４，２５に前記Ｖ溝２４ａ，２５ａが形成され、Ｖ溝２４ａ，２５ａの底部が薄肉化による脆弱部とされているから、熱膨張力によって、各板状体２４，２５のＶ溝２４ａ，２５ａより先側部分が互いに接近するよう前記薄肉化部分で屈曲する。これによって、反射部材８が前記熱膨張分を吸収し、液晶パネル２にひずみを生じさせることなく額縁５に一体固定化された状態に維持される。この場合、反射面６，７がフラットな状態から、屈折した状態に変化し、反射対象領域２９からの出射光の反射状態に多少の変化を生じるが、前記初期の効果はほぼ維持される。
【００４９】
図８は本実施形態の反射部材８を隣接する液晶パネル２が互いにフラットでない接続状態で構成されるマルチディスプレイ装置１ａ，１ｂに適用した場合の断面図を示す。図８（１）は隣接する液晶パネル２の接続部が谷形となるマルチディスプレイ装置１ａの例を、図８（２）は隣接する液晶パネル２の接続部が山形となるマルチディスプレイ装置１ｂの例を示している。なお、前述の各実施形態と対応する部分には同一の参照符を付す。図８（１）に示す例では、隣接する液晶パネル２の成す角度αが１８０°より小さく、図８（２）に示す例では、隣接する液晶パネル２の成す角度βが１８０°より大きいことを示している。これらの例においても、隣接する額縁５に跨るように、かつ、両額縁５とその間の隙間を隠蔽するように、下端部２４ｂ，２５ｂを、両面粘着テープ２７，２８を介して隣接する額縁５のそれぞれの平板状部分１５の上面に接着することにより反射部材８が設置される。この場合、隣接する額縁５間の間隔に応じて、Ｖ溝２４ａ，２５ａの形成部位において、Ｖ溝２４ａ，２５ａより先側部分を内向き、あるいは外向きに屈曲させて、前記隠蔽が完全に成されるよう調整される。そして、液晶パネル２の駆動に伴う温度上昇によって液晶パネル２を保持するシャーシ３、筐体４および額縁５などが熱膨張した場合には、前記と同様に板状体２４，２５が前記Ｖ溝２４ａ，２５ａにおいて屈曲する。これによって、反射部材８が、前記熱膨張分を吸収し、液晶パネル２にひずみを生じることなく、額縁５に一体固定化された状態に維持される。
【００５０】
図９は、本発明に関連する第２の関連発明に係る一実施形態のマルチディスプレイ装置１００を示している。また、図１０は、第２の関連発明に係る他の実施形態のマルチディスプレイ装置２００を示している。なお、前述の各実施形態と対応する部分には同一の参照符を付す。これら実施形態では、隣接する液晶パネル２が互いにフラットでない接続状態で構成されるマルチディスプレイ装置１００，２００において、それぞれの接続部分の形態に応じた反射部材５０，６０が用いられる。
【００５１】
図９に示すマルチディスプレイ装置１００は、図８（１）の例と同様に、隣接する液晶パネル２の成す角度αが１８０°より小さく、隣接する液晶パネル２の接続部が谷形を成す場合である。この実施形態の反射部材５０は、非表示部としての額縁５から突出する側に２つの反射面５１，５２が形成される三角柱状の長尺材から成る反射部５３と、該反射部５３に連なり、前記各液晶パネル２の互いに隣接する各側部の一方に止着される脚部５４とを有する。前記反射部５３は、各額縁５の各液晶パネル２の一辺を成す部分に全長にわたって延びるアクリル樹脂などの成型材による棒状体から成る。反射部５３における前記脚部５４が連なる部分は、外側（前記反射部５３の頂部５３ａとは反対側）に突出する屈曲面５５とされている。この屈曲面５５の屈曲角度は前記角度αにほぼ整合するよう形成され、これによって前記谷形の接続部に、反射部５３が納まりよく正確に位置決めして配置することができる。反射部５３と脚部５４とは、図９に示すように、アクリル樹脂による一体の成型体から成るものでもよく、あるいは、屈曲面５５から頂部５３ａに向って凹状に、かつ反射部５３の長手方向に沿って形成された溝（図示を省略）に、脚部５４を嵌め込むことによって接続されるものであってもよい。
【００５２】
脚部５４は断面がＬ字状の長尺材であり、反射部５３の長さ全長にわたって延びていてもよく、また反射部５３の長さの全長より短い部材が複数接続されていてもよい。また、脚部５４は、反射部５３と同様にアクリル樹脂から成ってもよく、あるいはポリ塩化ビニル、アルミニウム合金など、その他の素材から成ってもよい。脚部５４における下端の横向片５４ａには、ビス挿入用の透孔５４ｂが形成されている。この透孔５４ｂにビス５６を挿入し、一方の液晶パネル２を支持するシャーシ３のフランジ部２１、および枠体１２の第１周壁部２３に螺着することによって、脚部５４が当該フランジ部２１および第１周壁部２３に止着される。これによって、反射部材５０は、隣接する液晶パネル２の一方の側部に固定される。このような固定による反射部材５０の設置状態においては、隣接する
額縁５の各平板状部分１５が、前記反射部５３の屈曲面に接触状態で対向する。そして、液晶パネル２の駆動に伴う温度上昇によって、液晶パネル２を保持するシャーシ３、筐体４および額縁５などが面方向に熱膨張しても、反射部材５０は一方の液晶パネル２に固定され、他方には固定されていないから、この他方の液晶パネル２と反射部材５０との相対変位が許容され、熱膨張分が吸収される。
【００５３】
図１０に示すマルチディスプレイ装置２００は、図８（２）の例と同様に、隣接する液晶パネル２の各表示面の成す角度βが１８０°より大きく、隣接する液晶パネル２の接続部が山形を成す場合である。この実施形態の反射部材６０は、非表示部としての額縁５から突出する側に２つの反射面６１，６２が形成される断面山形の柱状体から成る反射部６３と、該反射部６３に連なり、前記各液晶パネル２の互いに隣接する各側部の一方に止着される脚部６４とを有する。この実施形態の反射部６３も、各額縁５の各液晶パネル２の一辺を成す部分に全長にわたって延びる棒状体から成る。反射部６３における前記脚部６４が連なる部分は、内側（前記反射部６３の頂部６３ａに向く側）に凹む屈曲面６５とされている。この屈曲面６５の屈曲角度は前記角度βにほぼ整合するよう形成される。反射部６３と脚部６４とは、前記例と同様にアクリル樹脂による一体の成型体から成るものでもよく、あるいは、屈曲面６５から頂部３３ａに向って凹状に、かつ反射部６３の長手方向に沿って形成された溝（図示を省略）に、脚部６４を嵌め込むことによって接続されるものであってもよい。
【００５４】
この実施形態においても、脚部６４は断面がＬ字状の長尺材であり、反射部６３の長さ全長にわたって延びていてもよく、また反射部６３の長さの全長より短い部材が複数接続されていてもよい。また、脚部６４は、反射部６３と同様にアクリル樹脂からなってもよく、あるいはポリ塩化ビニル、アルミニウム合金など、その他の素材からなってもよい。脚部６４における下端の横向片６４ａには、ビス挿入用の透孔６４ｂが形成されている。この透孔６４ｂにビス６６を挿入し、一方の液晶パネル２を支持するシャーシ３のフランジ部２１、および枠体１２の第１周壁部２３に螺合することによって、脚部６４が当該フランジ部２１および第１周壁部２３に止着される。これによって、これによって前記山形の接続部に、反射部６３が納まりよく配置される。反射部材６０は、隣接する液晶パネル２の一方の側部に固定される。このような固定による反射部材６０の設置状態においては、隣接する額縁５の各平板状部分１５が、前記反射部５３の屈曲面に接触状態で対向する。そして、液晶パネル２の駆動に伴う温度上昇によって、液晶パネル２を保持するシャーシ３、筐体４および額縁５などが面方向に熱膨張しても、反射部材５０は一方の液晶パネル２に固定され、他方には固定されていないから、この他方の液晶パネル２と反射部材６０との相対変位が許容され、熱膨張分が吸収される。図１０では、隣接する額縁５の両外周部１６が、脚部６４の両面に当接した状態を示しているが、液晶パネル２を保持するシャーシ３、筐体４および額縁５などの熱膨張を考慮して、反射部材６０の設置時には、反射部材５０が固定されない側の外周部１６と脚部６４とは隙間を設けておくことが望ましい。
【００５５】
図１１は、本発明に係る一実施形態のマルチディスプレイ装置３００を示す断面図であり、図１２は本実施形態に適用される反射部材７０を模式的に示す斜視図である。なお、前述の各実施形態と対応する部分には同一の参照符を付す。この実施形態のマルチディスプレイ装置３００に適用される反射部材７０は、非表示部としての額縁５から突出する側に２つの反射面７１，７２が形成される断面山形の柱状体から成る反射部７３と、該反射部７３に連なり、前記各液晶パネル２の互いに隣接する各側部間に弾性的圧縮状態で挟持される弾性体製の挟持部７４とを有する。前記反射部７３は、各額縁５の各液晶パネル２の一辺を成す部分に全長にわたって延びるアクリル樹脂などの成型体による断面三角形の棒状体から成る。挟持部７４は、金属製のばね性部材から成り、反射部７３の下面７３ａから下向き（図１においては背面側Ｚ２）に延びるように設けられている。具体的には、挟持部７４は、反射部７３の成型時にインサート成型によって、上端部側が下面７３ａより反射部７３内に埋設されるよう、反射部７３に一体に形成されている。挟持部７４は、反射部７３の長さ全長にわたって延びていてもよく、また反射部７３の長さの全長より短い部材が複数接続されていてもよい。
【００５６】
図１１および図１２に示す挟持部７４は、２枚のばね性を有する金属板７５，７６を重ね合わせ、両者を一体に固着して構成されている。各金属板７５，７６は、途中の同じ位置に反射部７３の長手方向に平行に連なる山部７５ａ，７６ａが湾曲形成されており、これらの湾曲部としての山部７５ａ，７６ａは、その頂部が互いに離反方向に向くように形成されている。このように形成された挟持部７４は、両山部７５ａ，７６ａの頂部を結ぶ方向に圧縮弾性を保有する。本実施形態の反射部材７０は、隣接する液晶パネル２間に設置する際、隣接する額縁５の両外周部１６間に、挟持部７４をその両山部７５ａ，７６ａが圧縮変形を伴うよう圧入する。したがって、両山部７５ａ，７６ａの弾性復元力によって、挟持部７４が隣接する額縁５の両外周部１６間にしっかりと挟持され、反射部材７０は所定部位に安定した状態で設置される。この場合、隣接する額縁５の両外周部１６間の隙間には多少のばらつきが生じることは不可避であるが、このような圧縮弾性を有する挟持部７４によって、ばらつきへの対応が好適になされる。そして、液晶パネル２の駆動に伴う温度上昇によって、液晶パネル２を保持するシャーシ３、筐体４および額縁５などが面方向に熱膨張しても、両山部７５ａ，７６ａの前記圧縮弾性によってこの熱膨張が吸収され、液晶パネル２にひずみなどを生じるおそれがない。
【００５７】
図１３は、本実施形態に適用される反射部材７０の変形例７０ａを模式的に示す斜視図である。この例の反射部材７０ａにおいては、挟持部７４が、１枚の金属板７７から成り、その上端部側が前記と同様に反射部７３内に埋設されるよう、反射部７３に一体に形成されている。なお、図１２の例と対応する部分には同一の参照符を付す。金属板７７の途中には、金属板７７の延びる方向に沿った各２本の平行な切り込み部７７ａの対が、金属板７７の板面に方形を成すよう４箇所に設けられている。そして、対角位置にある切り込み部７７ａの各２対を表裏より同方向に押出すことによって、金属板７７の表裏にそれぞれ２個ずつ突出する４個の凸曲片部７７ｂが形成されている。これら湾曲部としての各凸曲片部７７ｂは、図１２の例と同様に金属板７７の表裏方向に圧縮弾性を保有するから、この圧縮弾性によって、図１１に示すよう隣接する額縁５の外周部１６間に挟持部７４を同様にしっかりと挟持させることができる。したがって、本変形例の反射部材７０ａを隣接する額縁５に設置する場合における、前記ばらつき対応機能や、熱膨張吸収機能も同様に発揮される。
【００５８】
図１４は、本実施形態に適用される反射部材７０の他の変形例７０ｂを模式的に示す斜視図である。この例の反射部材７０ｂにおいては、挟持部７４が、１枚の金属板７８から成り、その上端部側が前記と同様に反射部７３内に埋設されるよう、反射部７３に一体に形成されている。なお、図１２の例と対応する部分には同一の参照符を付す。金属板７８には、その下端部側に、反射部７３の長手方向に沿って凹凸が繰り返す波型部分７８ａが形成されている。この湾曲部としての波型部分７８ａは、図１２および図１３に示す例と同様に金属板７８の表裏方向に圧縮弾性を保有するから、この圧縮弾性によって、図１１に示すよう隣接する額縁５の外周部１６間に挟持部７４を同様に挟持させることができる。したがって、本変形例の反射部材７０ｂを隣接する額縁５に設置する場合における、金属板７８の表裏方向への圧縮弾性によって、前記ばらつき対応機能や、熱膨張吸収機能も同様に発揮される。
【００５９】
なお、前記各実施形態における反射部材の、各反射面の傾斜角度はマルチディスプレイ装置の要求仕様に基づき適宜設定される。また、第２の関連発明および本発明における各反射面も、第１の関連発明において図４〜図６を参照して説明したと同様の機能を奏することは言うまでもない。また、本発明において、反射部７３の下面７３ａと、隣接する額縁５の平板状部分１５とが対向する部分において、一方には両面粘着テープを介在させて相互に接着して固定し、他方にはスペーサ部材を介在させ、この部分での相互の変位を許容するように構成してもよい。
【００６０】
図１５は本発明に関連する第３の関連発明に係る一実施形態のマルチディスプレイ装置４００を示す断面図である。なお、本実施形態は、前述の図１〜図８に示される実施形態に類似し、対応する部分には、同一の参照符を付す。本実施形態のマルチディスプレイ装置４００は、反射部材８０が用いられる。この反射部材８０は、非表示部としての額縁５から突出する側に２つの反射面６，７が形成される断面が逆Ｖ字状の長尺材から成る反射部２６を有し、この反射部２６が脚部としても用いられる。
【００６１】
前記反射部２６は、各額縁５の各液晶パネル２の一辺を成す部分に全長にわたって延びる一対の板状体２４，２５から成る。各板状体２４，２５は、一体的に形成されてもよく、別部材を接着、溶接またはビス止めなどによって連結した構成であってもよい。各板状体２４，２５の下端部２４ｂ，２５ｂの下面２４ｂ１，２５ｂ１は、接着剤によって各額縁５の平板状部分１５に直接、接着されて固定される。前記板状体２４，２５は、アクリル樹脂から成ってもよく、あるいはポリ塩化ビニル、アルミニウム合金など、その他の素材から成ってもよい。
【００６２】
このように反射部材８０は、隣接する額縁５の各平板状部分１５に接着によって固定されるので、反射部材８０を額縁５に容易に取付けることができる。また、反射部材８０は、液晶パネル２の駆動に伴う温度上昇によって、液晶パネル２を保持するシャーシ３、筐体４および額縁５などが面方向に熱膨張しても、各板状体２４，２５の弾性変形によって、熱膨張などによる液晶パネル２と反射部材８０との相対変位を許容することができる。
【００６３】
図１６は第３の関連発明に係る他の実施形態のマルチディスプレイ装置５００を示す断面図である。なお、本実施形態は、前述の図１〜図８および図１５に示される実施形態に類似し、対応する部分には、同一の参照符を付す。本実施形態のマルチディスプレイ装置５００では、前述の図１５に示す実施形態の反射部材８０に代えて、各板状体２４，２５に下端部２４ｂ，２５ｂに、断面において相互に近接する方向に延びる接合部分２４ｂ２，２５ｂ２が一体的に形成された反射部材９０が用いられる。各接合部分２４ｂ２，２５ｂ２の各下面２４ｂ３，２５ｂ３は、各額縁５の平板状部分１５に直接、接着され、より大きな接合強度で固定することができる。これによって、液晶パネル２を保持するシャーシ３、筐体４および額縁５などが面方向に熱膨張しても、各板状体２４，２５の弾性変形によって、熱膨張などによる液晶パネル２と反射部材８０との相対変位を許容することができ、より大きな相対変位を許容することが可能となる。
【００６４】
このように図１５および図１６に示す各実施形態においても、前述の実施形態と同様に、平面状に並んで配置される複数の液晶パネル２の各非表示部に、表示領域からの出射光を反射する反射面６，７を有する反射部材８０，９０が設けられるので、各液晶パネル２を組立ててマルチスクリーンを構築した状態での表示画面に、非表示部が線状に露呈することを防止し、表示品位を向上することができる。しかも、前記反射部材８０，９０は、各板状体２４，２５が弾性変形可能であるので、隣接する液晶パネル２の側部である各額縁５間の隙間にばらつきがあったり、液晶パネル２を保持するシャーシ３、筐体４および額縁５などが熱膨張した場合であっても、各板状体２４，２５の弾性変形によってこれを吸収し、液晶パネル２にひずみが生じることなく、安定した設置状態を維持することができる。
【００６５】
本発明は、以下の実施の形態が可能である。
（１）画像を表示する表示領域と、該表示領域を外囲する非表示部とを有し、互いに隣接して設けられる複数の表示パネルと、
前記非表示部に設けられ、前記隣接する表示パネルの各表示領域からの出射光を反射する反射面が形成され、断面が略Ｖ字状の長尺材から成る反射部を有する反射部材であって、前記反射部の長手方向に垂直な幅方向の所定部位に、弾性変形可能な脆弱部が長手方向に延びて形成される反射部材とを含むことを特徴とするマルチディスプレイ装置。
【００６６】
前記（１）によれば、平面状に並んで配置される複数の表示パネルの各非表示部に、表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。しかも、本発明では、前記反射部材は、表面がそれぞれ前記反射面とされた断面がＶ字状の長尺材から成る反射部を含み、前記板状体が、長手方向に沿った所定部位に設けられる脆弱部で弾性的に屈曲可能とされているから、隣接する表示パネルがフラットでない状態で接合される場合でも、反射面が形成される板状体をこの所定部位で屈曲させて、反射部材を非表示部に設置することができ、非表示部と反射部との間に生じる隙間を小さくして表示品位の低下を抑えることができる。また、反射部材を粘着テープなどによって隣接する非表示面に固定させた後に、表示パネルを保持するシャーシ、筐体および額縁などが熱膨張した場合でも、前記所定部位での屈曲によってこれを吸収することができ、表示パネルにひずみなどを生じるおそれがない。
【００６７】
（２）前記脆弱部は、前記反射部の前記反射面とは反対側の裏面に長手方向に延びて形成される凹溝であることを特徴とする前記（１）に記載のマルチディスプレイ装置。
【００６８】
前記（２）によれば、前記所定部位に、前記反射部の前記反射面とは反対側の裏面に長手方向に沿った凹溝が脆弱部として形成されているから、この溝部分を屈曲させることによって、隣接する表示パネルの多様な接続状態にも好適に対応することができる。
【００６９】
（３）前記凹溝は、その断面がＶ字状であることを特徴とする前記（２）に記載のマルチディスプレイ装置。
【００７０】
前記（３）によれば、前記脆弱部が断面Ｖ字状の凹溝であるので、前記屈曲性がより的確に発揮され、一定の幅で屈曲した反射面を形成することができ、反射面による反射像のばらつきがなく、これによってもまた、表示品位を向上することができる。
【００７１】
（４）画像を表示する表示領域と、該表示領域を外囲する非表示部とを有し、互いに隣接して設けられる複数の表示パネルと、
前記非表示部に設けられ、前記隣接する表示パネルの各表示領域からの出射光を反射する反射面が形成される三角柱状の長尺材から成る反射部と、該反射部に連なり、前記各表示パネルの互いに隣接する各非表示部の一方に止着される脚部とを有する反射部材とを含むことを特徴とするマルチディスプレイ装置。
【００７２】
前記（４）によれば、第１の本発明と同様に、平面状に並んで配置される複数の表示パネルの各非表示部に、前記隣接する表示パネルの各表示領域からの出射光を反射する反射面を有する反射部材が設けられるので、各表示パネルを組立ててマルチスクリーンを構築した状態での表示画面に、非表示部が線状に露呈することを防止し、表示品位を向上することができる。しかも、前記反射部材は、前記非表示部から突出する側に前記反射面が形成される三角柱状の長尺材から成る反射部に連なる脚部を、前記各表示パネルの互いに隣接する各非表示部の一方に止着することによって、前記非表示部に設けられるから、当該各非表示部間の隙間にばらつきがあってもこれに対応することができる。また、隣接する表示パネルがフラットでなく角度をもって接続される場合であっても、他方の表示パネルの非表示部に対しては前記脚部が固定されず、反射部材を確実に取付けることができる。
【００７３】
（５）前記反射部における前記脚部が連なる部分の反射面は、外側に突出する屈曲面とされていることを特徴とする前記（４）に記載のマルチディスプレイ装置。
【００７４】
前記（５）によれば、前記反射部における前記脚部が連なる部分が、外側に突出する屈曲面とされるので、隣接する表示パネル同士が互いの表示領域を対向させる方向、すなわち谷形（１８０°より小さい角度）に接合される場合であっても、この外側に突出する屈曲面を谷形の接合部に納まりよく正確に位置決めして取付けることができ、非表示部と反射部との間に生じる隙間を小さくして表示品位の低下を抑えることができる。
【００７５】
（６）前記反射部における前記脚部が連なる部分の反射面は、内側に凹む屈曲面とされていることを特徴とする前記（４）に記載のマルチディスプレイ装置。
【００７６】
前記（６）によれば、前記反射部における前記脚部が連なる部分が、内側に凹む屈曲面とされているので、隣接する表示パネル同士が互いの表示領域を離反させる方向、すなわち山形（１８０°より大きい角度）に接合される場合であっても、この内側に凹む屈曲面を山形の接合部に被せるように納まりよく正確に位置決めして取付けることができ、非表示部と反射部との間に生じる隙間を小さくして表示品位の低下を抑えることができる。
【符号の説明】
【００７７】
１，１ａ，１ｂ，１００，２００，３００，４００，５００  マルチディスプレイ装置
２  液晶パネル
３  シャーシ
４  筐体
５  額縁
１５  平板状部分
１６  外周部
６，７，５１，５２，６１，６２，７１，７２  反射面
８，５０，６０，７０，８０，９０  反射部材
２４，２５  板状体
２４ａ，２５ａ  Ｖ溝
２６，５３，６３，７３  反射部
５４，６４  脚部
５５，６５  屈曲面
７４  挟持部
７５ａ，７６ａ  山部
７７ｂ  凸曲片部
７８ａ  波型部分
Ｚ１  前面側
Ｚ２  背面側
【図１】
0005895040.tif 000002
【図２】
0005895040.tif 000003
【図３】
0005895040.tif 000004
【図４】
0005895040.tif 000005
【図５】
0005895040.tif 000006
【図６】
0005895040.tif 000007
【図７】
0005895040.tif 000008
【図８】
0005895040.tif 000009
【図９】
0005895040.tif 000010
【図１０】
0005895040.tif 000011
【図１１】
0005895040.tif 000012
【図１２】
0005895040.tif 000013
【図１３】
0005895040.tif 000014
【図１４】
0005895040.tif 000015
【図１５】
0005895040.tif 000016
【図１６】
0005895040.tif 000017